(57)【特許請求の範囲】
【請求項１】
水栓本体と、
前記水栓本体を操作する操作装置と、を備え、
前記操作装置は、
操作装置本体と、
前記水栓本体から吐出される水の温度または流量を調節するための調節操作部と、を含み、 
前記調節操作部は、直線的に移動可能に構成されており、可動範囲内のいずれの位置にあるときでも、前記操作装置本体の前面側に設けられる凹部に全体が収容され、
前記凹部は、前記操作装置本体の外面のうちの隣接する２つの外面の接続部分に設けられ、かつ、前記調節操作部の可動方向の延長線上に内壁を有しないことを特徴とする水栓装置。
【請求項２】
前記操作装置は、前記水栓本体の吐出状態を切り替えるための吐出操作部をさらに含み、
前記調節操作部は、前記吐出操作部の下方に配置されることを特徴とする請求項１に記載の水栓装置。
【請求項３】
前記調節操作部は、スライド式またはレバー式であることを特徴とする請求項１または２に記載の水栓装置。
【請求項４】
請求項１から３のいずれかに記載の水栓装置が壁に設置されることを特徴とする浴室ユニット。
【発明の詳細な説明】
【技術分野】
【０００１】
本発明は、水栓装置およびそれを備える浴室ユニットに関する。
【背景技術】
【０００２】
吐出される水の温度や流量を調節できる水栓装置が知られている。従来では、例えば特許文献１に記載されるような水栓装置が知られている。
【先行技術文献】
【特許文献】
【０００３】
【特許文献１】特開２０１３−０６４２６１号公報
【発明の概要】
【発明が解決しようとする課題】
【０００４】
特許文献１に記載されるような水栓装置では、吐出される水の温度や流量を調節する操作を受ける調節操作部が突出しており、ユーザの手に触れやすい位置に設けられている。そのため、不意な動作で意図せず調節操作部が操作されて温度や流量が変化し、ユーザが不快な思いをする場合がある。
【０００５】
本発明はこうした状況に鑑みてなされたものであり、その目的は、意図せず調節操作部が操作されるのを抑止しうる水栓装置およびそれを備える浴室ユニットを提供することにある。
【課題を解決するための手段】
【０００６】
上記課題を解決するために、本発明のある態様の水栓装置は、水栓本体と、水栓本体を操作する操作装置と、を備える。操作装置は、操作装置本体と、水栓本体から吐出される水の温度または流量を調節するための調節操作部と、を含む。調節操作部は操作装置本体の前面側に設けられ、調節操作部および操作装置本体は、調節操作部が操作装置本体の前端部よりも前方に突出しないよう構成される。
【０００７】
この態様によると、調節操作部は奥まった位置に配置されるため、不意の動作により、意図せず調節操作部が操作されるのを抑止できる。
【０００８】
調節操作部および操作装置本体は、調節操作部が操作装置本体の下端部よりも下方に突出しないよう構成されてもよい。この場合、調節操作部はより奥まった位置に配置されるため、不意の動作により、意図せず調節操作部が操作されるのをより抑止できる。
【０００９】
調節操作部は、操作装置本体の外面のうち、隣接する２つの外面の接続部分に配置されてもよい。この場合、前面からの視認性を確保しつつ、下から手を差入れて操作しやすくなる。
【００１０】
本発明の別の態様もまた、水栓装置である。この装置は、水栓本体と、水栓本体を操作する操作装置と、を備える。操作装置は、操作装置本体と、水栓本体から吐出される水の温度または流量を調節するための調節操作部と、を含む。調節操作部は、操作装置本体に設けられる凹部に全体が収容される。
【００１１】
この態様によると、調節操作部は奥まった位置に配置されるため、不意の動作により、意図せず調節操作部が操作されるのを抑止できる。
【００１２】
凹部は、操作装置本体の外面のうちの隣接する２つの外面の接続部分に設けられてもよい。この場合、調節操作部は角部に配置されることになる。そのため、調節操作部を操作しやすい。
【００１３】
操作装置は、水栓本体の吐出状態を切り替えるための吐出操作部をさらに含んでもよい。調節操作部は、吐出操作部の下方に配置されてもよい。この場合、調節操作部が、その吐出操作部に対応する操作部であることが容易に把握できる。
【００１４】
調節操作部は、スライド式またはレバー式であってもよい。この場合、例えば回転式の操作部と比べ、水や石鹸がついた手でも滑りにくく、操作しやすい。
【００１５】
本発明のさらに別の態様は、浴室ユニットである。この浴室ユニットには、上述のいずれかの水栓装置が壁に設置される。この場合、水栓装置を誤操作しにくい、快適な浴室ユニットを提供できる。
【００１６】
なお、以上の構成要素の任意の組み合わせや、本発明の構成要素や表現を方法、装置、システムなどの間で相互に置換したものもまた、本発明の態様として有効である。
【発明の効果】
【００１７】
本発明によれば、意図せず調節操作部が操作されるのを抑止しうる水栓装置およびそれを備える浴室ユニットを提供できる。
【図面の簡単な説明】
【００１８】
【図１】実施の形態に係る浴室ユニットを示す斜視図である。
【図２】図１の水栓装置の構成を示すブロック図である。
【図３】図１の水栓装置を示す斜視図である。
【図４】図１の水栓装置を示す正面図である。
【図５】図１の水栓装置を示す側面図である。
【図６】実施の形態の変形例に係る水栓装置を示す斜視図である。
【発明を実施するための形態】
【００１９】
以下、各図面に示される同一または同等の構成要素、部材には、同一の符号を付するものとし、適宜重複した説明は省略する。また、各図面における部材の寸法は、理解を容易にするために適宜拡大、縮小して示される。また、各図面において実施の形態を説明する上で重要ではない部材の一部は省略して表示する。
【００２０】
図１は、実施の形態に係る浴室ユニット１０を示す斜視図である。浴室ユニット１０は、浴槽１２と、洗い場１４と、壁１６と、カウンター１７と、水栓装置１８と、鏡１９と、シャワーフック２０と、スライドバー２１と、シャワーヘッド２２と、シャワーホース２４と、カラン（図１では不図示）と、２つの収納棚２５と、を備える。
【００２１】
浴槽１２は、防水パン（不図示）上に設置される。洗い場１４は、浴槽１２に隣接して設けられる。壁１６は、浴槽１２および洗い場１４を取り囲む。壁１６は、洗い場１４を隔てて浴槽１２と対向する第１壁１６ａと、浴槽１２および洗い場１４を挟んで第１壁１６ａと対向する第２壁１６ｂと、第１壁１６ａの一端側と第２壁１６ｂの一端側とに接続される第３壁１６ｃと、第３壁１６ｃと対向する、浴室ドアが設けられる第４壁（不図示）と、を含む。
【００２２】
カウンター１７は、第３壁１６ｃの洗い場１４側に固定される。カウンター１７は、シャンプーボトル、ボディソープボトル、その他の小物などを置くための物置台として機能する。鏡１９は、縦長に形成され、カウンター１７の上方で第３壁１６ｃに固定される。２つの収納棚２５は、ユーザが立ったときに必要な小物を取り出せる高さで第３壁１６ｃに固定される。
【００２３】
水栓装置１８は、カウンター１７と鏡１９との間において第３壁１６ｃに固定される。水栓装置１８には、一端側にシャワーヘッド２２が設けられたシャワーホース２４とカランとが接続され、これらに水（温水または冷水）を吐出する。シャワーフック２０は、浴槽１２と水栓装置１８との間において第３壁１６ｃに固定される。実施の形態では、シャワーフック２０は、スライドバー２１を介して第３壁１６ｃに固定される。シャワーフック２０にはシャワーヘッド２２が掛止される。
【００２４】
図２は、水栓装置１８の構成を示すブロック図である。水栓装置１８は、水栓本体２８と、水栓本体２８を操作する操作装置３０と、を含む。水栓本体２８は、給水流路３２と、給湯流路３４と、湯水混合部３６と、第１吐出流路３８と、第１流量調節部４０と、第１吐出口４２と、第２吐出流路４４と、第２流量調節部４６と、第２吐出口４８と、を備える。
【００２５】
給水流路３２は、上水道（不図示）に接続され、水（冷水）を湯水混合部３６に供給する。給湯流路３４は、給湯器（不図示）に接続され、給湯器で温められた水（湯水）を湯水混合部３６に供給する。湯水混合部３６は、給水流路３２と給湯流路３４に接続される。湯水混合部３６は、給水流路３２から供給される水（冷水）と給湯流路３４から供給される水（湯水）とを、操作装置３０によって設定された比率で混合する。
【００２６】
第１吐出流路３８は、一端が湯水混合部３６に接続され、他端（第１吐出口４２側）がカラン２６に接続される。第１流量調節部４０は、第１吐出流路３８上に設けられ、例えばパイロット弁を含んで構成される。第１流量調節部４０は、操作装置３０に操作されて、第１吐出流路３８を開閉する。また第１流量調節部４０は、第１吐出流路３８を流れる水の流量を、操作装置３０によって設定された流量に調節する。第１吐出流路３８が開くと、湯水混合部３６で混合された水であって設定された流量の水が第１吐出流路３８を流れ、第１吐出口４２から吐出する。第１吐出口４２から吐出した水は、カラン２６から吐出する。第１吐出流路３８が閉じると、第１吐出流路３８を水が流れなくなり、第１吐出口４２からの水の吐出が止まる。
【００２７】
第２吐出流路４４は、一端が湯水混合部３６に接続され、他端（第２吐出口４８側）がシャワーホース２４に接続される。第２流量調節部４６は第２吐出流路４４上に設けられ、例えばパイロット弁を含んで構成される。第２流量調節部４６は、操作装置３０に操作されて、第２吐出流路４４を開閉する。また第２流量調節部４６は、第２吐出流路４４を流れる水の流量を、操作装置３０によって設定された流量になるよう調節する。第２吐出流路４４が開くと、湯水混合部３６で混合された水であって設定された流量の水が第２吐出流路４４を流れ、第２吐出口４８から吐出する。第２吐出口４８から吐出した水は、シャワーホース２４を流れ、シャワーヘッド２２から吐出する。第２吐出流路４４が閉じると、第２吐出流路４４を水が流れなくなり、第２吐出口４８からの水の吐出が止まる。
【００２８】
操作装置３０は、温度調節操作部５０と、温度調節操作伝達部５２と、第１吐出操作部５４と、第１吐出操作伝達部５６と、第１流量調節操作部５８と、第１流量調節操作伝達部６０と、第２吐出操作部６２と、第２吐出操作伝達部６４と、第２流量調節操作部６６と、第２流量調節操作伝達部６８と、を備える。
【００２９】
温度調節操作部５０は、ユーザから温度調節の操作を受ける。温度調節操作伝達部５２は、温度調節操作部５０が受けた操作を機械的に湯水混合部３６に伝達する。湯水混合部３６は、この操作を受けて動作し、混合される冷水と湯水の比率を変更する。
【００３０】
第１吐出操作部５４は、ユーザから、第１吐出口４２（ひいてはカラン２６）からの吐出開始または吐出終了の操作を受ける。第１吐出操作伝達部５６は、第１吐出操作部５４が受けた操作を機械的に第１流量調節部４０に伝達する。第１流量調節部４０は、この操作を受けて動作し、第１吐出流路３８を開閉する。
【００３１】
第２吐出操作部６２は、ユーザから、第２吐出口４８（ひいてはシャワーヘッド２２）からの吐出開始または吐出終了の操作を受ける。第２吐出操作伝達部６４は、第２吐出操作部６２が受けた操作を機械的に第２流量調節部４６に伝達する。第２流量調節部４６は、この操作を受けて動作し、第２吐出流路４４を開閉する。
【００３２】
第１流量調節操作部５８は、ユーザから、第１吐出口４２（ひいてはカラン２６）から吐出されるべき水の流量調節の操作を受ける。第１流量調節操作伝達部６０は、第１流量調節操作部５８が受けた操作を機械的に第１流量調節部４０に伝達する。第１流量調節部４０は、この操作を受けて動作し、第１吐出口４２から吐出される水の流量が調節される。
【００３３】
第２流量調節操作部６６は、ユーザから、第２吐出口４８（ひいてはシャワーヘッド２２）から吐出されるべき水の流量調節の操作を受ける。第２流量調節操作伝達部６８は、その操作を機械的に第２流量調節部４６に伝達する。第２流量調節部４６は、この操作を受けて動作し、第２吐出口４８から吐出される水の流量が調節される。
【００３４】
図３〜５はそれぞれ、水栓装置１８を示す斜視図、正面図、側面図である。図５では、温度調節操作部５０が設けられる側の側面を示している。
【００３５】
操作装置３０は、筐体７０をさらに含む。水栓本体２８は、実施の形態では、この筐体７０内に収容される。筐体７０は、前方下側が前方上側よりも後方に引っ込んだ箱状に形成される。前方下側が後ろに引っ込むことによって形成されたスペースには、後述するように、第１流量調節操作部５８および第２流量調節操作部６６が収容される。
【００３６】
具体的には、操作装置３０は、上面７０ａと、前面７０ｂと、側面７０ｃ、７０ｄと、背面７０ｅと、下面７０ｆと、接続面７０ｇとを有する。上面７０ａは平坦に形成され、カウンター１７と同様に、小物などを置くための物置台として機能する。
【００３７】
接続面７０ｇは、前面７０ｂと下面７０ｆとに接続する。接続面７０ｇは、接続前面７０ｈと、接続下面７０ｉと、を含む。接続前面７０ｈは、前面７０ｂよりも下方かつ後方に設けられ、下面７０ｆと接続下面７０ｉとに接続される。接続下面７０ｉは、下面７０ｆよりも上方かつ前方に設けられ、前面７０ｂと接続前面７０ｈとに接続される。この接続面７０ｇによって、筐体７０の前面７０ｂと下面７０ｆとの接続部分には、側面視で略逆Ｌ字状の凹部７８が形成される。凹部７８は、側面７０ｃから側面７０ｄまで延在する。
【００３８】
第１吐出操作部５４は、筐体７０の前面７０ｂに設けられる。第１吐出操作部５４は、実施の形態では、押しボタン式の操作部である。そのため、水や石鹸がついた手でも操作しやすい。ユーザによって第１吐出操作部５４が押されると、その操作が第１吐出操作伝達部５６を介して第１流量調節部４０に伝達され、第１吐出流路３８が開いて第１吐出口４２から水が吐出される。ユーザによって再度第１吐出操作部５４が押されると、その操作が第１吐出操作伝達部５６を介して第１流量調節部４０に伝達され、第１吐出流路３８が閉じて第１吐出口４２からの水の吐出が止まる。第２吐出操作部６２は、筐体７０の前面７０ｂに、第１吐出操作部５４に隣接して設けられる。第２吐出操作部６２は、第１吐出操作部５４と同様に構成される。
【００３９】
温度調節操作部５０は、筐体７０の側面に設けられる。実施の形態では、温度調節操作部５０は、筐体７０の両側面７０ｃ、７０ｄのうち、浴槽１２およびシャワーフック２０の両方から遠い側（すなわち第１壁１６ａ側）の側面７０ｃに設けられる（図１参照）。温度調節操作部５０は、実施の形態では、軸部（不図示）周りに回転させる回転式の操作部である。温度調節操作部５０を時計周りまたは反時計回りに回転させると、その操作が温度調節操作伝達部５２を介して湯水混合部３６に伝達され、混合される冷水と湯水の比率が変化し、湯水混合部３６から第１吐出流路３８（ひいてはシャワーヘッド２２）あるいは第２吐出流路４４（ひいてはカラン２６）から吐出される水の温度が変化する。実施の形態では、温度調節操作部５０を右に回転させると温度が下がり、左に回転させると温度が上がる。
【００４０】
第１流量調節操作部５８は、第１吐出操作部５４の下方に位置し、かつ、その全体が凹部７８に収まるように、接続面７０ｇに設けられる。具体的には、第１流量調節操作部５８および筐体７０は、第１流量調節操作部５８が接続下面７０ｉの前端部７０ｊ（前面７０ｂの下端部７０ｋ）よりも前方に突出しないよう構成される。なお、第１流量調節操作部５８および筐体７０は、図５に示されるように、第１流量調節操作部５８の全体が、接続下面７０ｉの前端部７０ｊ（前面７０ｂの下端部７０ｋ）よりも後方に位置するよう構成されてもよい。また、第１流量調節操作部５８および筐体７０は、第１流量調節操作部５８が接続前面７０ｈの下端部７０ｌ（下面７０ｆの前端部７０ｍ）よりも下方に突出しないよう構成される。なお、第１流量調節操作部５８および筐体７０は、図５に示されるように、第１流量調節操作部５８の全体が接続前面７０ｈの下端部７０ｌ（下面７０ｆの前端部７０ｍ）よりも上方に位置するよう構成されてもよい。
【００４１】
第１流量調節操作部５８は、実施の形態では、直線的（図４では左右方向）にスライドさせて操作するスライド式の操作部である。そのため、例えば回転式の操作部と比べ、水や石鹸がついた手でも滑りにくく、操作しやすい。第１流量調節操作部５８を凹部７８に沿って右または左にスライドさせると、その操作が第１流量調節操作伝達部６０を介して第１流量調節部４０に伝達され、第１吐出流路３８を流れる水の流量が変化する。実施の形態では、第１流量調節操作部５８を右にスライドさせると流量が上がり、第１流量調節操作部５８を左にスライドさせると流量が下がるよう構成される。
【００４２】
第２流量調節操作部６６は、第２吐出操作部６２の下方に位置し、かつ、その全体が凹部７８に収まるように、接続面７０ｇに設けられる。第２流量調節操作部６６は、第１流量調節操作部５８と同様に構成される。
【００４３】
以上説明した実施の形態に係る水栓装置１８によると、第１流量調節操作部５８および筐体７０は、第１流量調節操作部５８の全体が凹部７８に収まるよう構成される。具体的には、第１流量調節操作部５８および筐体７０は、第１流量調節操作部５８が接続下面７０ｉの前端部７０ｊよりも前方に突出しないよう、また第１流量調節操作部５８が接続前面７０ｈの下端部７０ｌよりも下方に突出しないよう、構成される。すなわち、第１流量調節操作部５８は、水栓装置１８を使用するユーザに対して奥まった位置に設けられる。これにより、不意の動作によってユーザが第１流量調節操作部５８に接触して意図せず第１流量調節操作部５８が操作されるのを抑止できる。また、接触による怪我等を防止できる。また、水栓装置１８全体がすっきりとした印象になる。特に、ユーザが立っているときには第１流量調節操作部５８が見えなくなるため、よりすっきりした印象になる。第２流量調節操作部６６にも同様のことが言える。
【００４４】
また、実施の形態に係る水栓装置１８によると、筐体７０の前面７０ｂと下面７０ｆとの接続部分に凹部７８が形成され、この凹部に第１流量調節操作部５８および第２流量調節操作部６６が収まる。すなわち、凹部７８は筐体７０の角部に設けられ、第１流量調節操作部５８および第２流量調節操作部６６も角部に設けられる。これにより、不意の動作で各操作部が操作されるのを抑止しつつも、各操作部をいざ操作するときには操作しやすい水栓装置１８を実現できる。
【００４５】
また、実施の形態に係る水栓装置１８によると、第１流量調節操作部５８は第１吐出操作部５４の下方に、第２流量調節操作部６６は第２吐出操作部６２の下方にそれぞれ設けられる。そのため、ユーザは、各流量調節操作部がどの吐出操作部（ひいてはどの吐出口から吐出される水）に対応する操作部であるかを把握しやすい。なお、流量調節操作部は、頻繁に操作される吐出操作部の下方に設けられるものの、上述のように奥まった位置に配置されるため、吐出操作部を操作する際に意図せず流量調節操作部が操作される可能性は低い。
【００４６】
また、実施の形態に係る水栓装置１８によると、第１流量調節操作部５８および第２流量調節操作部６６は、直線的にスライドさせるスライド式の操作部として構成される。そのため、水や石鹸がついた手でも操作しやすい。なお第１流量調節操作部５８は、操作しやすい分、不意の動作で触れたときに動きやすい。しかしながら第１流量調節操作部５８は、上述のように奥まった位置に配置されるため、不意の動作で意図せず操作される可能性は低い。
【００４７】
また、実施の形態に係る水栓装置１８を備える浴室ユニット１０によると、第１流量調節操作部５８および第２流量調節操作部６６は、水栓装置１８を使用するユーザやシャワーホース２４に対して奥まった位置に設けられる。これにより、ユーザがシャワーホース２４が意図せず各流量調節操作部に接触して意図せず各流量調節操作部が操作されるのを抑止できる。
【００４８】
以上、実施の形態に係る水栓装置について説明した。この実施の形態は例示であり、その各構成要素の組み合わせにいろいろな変形例が可能なこと、またそうした変形例も本発明の範囲にあることは当業者に理解されるところである。
【００４９】
（変形例１）
実施の形態では、第１流量調節操作部５８がスライド式の操作部である場合について説明したが、これに限られない。第１流量調節操作部５８は、操作部を直線的あるいは曲線的に移動させる操作部であってもよく、例えばレバー式の操作部であってもよい。
【００５０】
（変形例２）
実施の形態では、温度調節操作部５０が回転式の操作部である場合について説明したが、これに限られない。温度調節操作部５０は、第１流量調節操作部５８や第２流量調節操作部６６と同様に、スライド式の操作部やレバー式の操作部であってもよい。図６は、実施の形態の変形例に係る水栓装置を示す斜視図である。本変形例では、温度調節操作部５０は、第１流量調節操作部５８や第２流量調節操作部６６と同様にスライド式の操作部であり、接続面７０ｇに設けられてその全体が凹部７８に収容される。この場合、温度調節操作部５０は、第１流量調節操作部５８や第２流量調節操作部６６と同様に、水栓装置１８を使用するユーザやシャワーホース２４に対して奥まった位置に設けられる。
【００５１】
（変形例３）
実施の形態では、接続面７０ｇおよび第１流量調節操作部５８は、第１流量調節操作部５８が接続下面７０ｉの前端部７０ｊ（前面７０ｂの下端部７０ｋ）よりも前方に突出しないよう構成される場合について説明したが、これに限られない。接続面７０ｇおよび第１流量調節操作部５８は、第１流量調節操作部５８が、少なくとも前端部７２（すなわち前面７０ｂの前端部）よりも前方に突出しないよう、または、前端部７２よりも後方に位置するよう構成されればよい。
また、実施の形態では、接続面７０ｇおよび第１流量調節操作部５８は、第１流量調節操作部５８が接続前面７０ｈの下端部７０ｌ（下面７０ｆの前端部７０ｍ）よりも下方に突出しないよう構成される場合について説明したが、これに限られない。接続面７０ｇおよび第１流量調節操作部５８は、少なくとも下端部８０（すなわち下面７０ｆの下端部）よりも下方に突出しないよう、または下端部８０よりも上方に位置するよう構成されればよい。
接続面７０ｇと第２流量調節操作部６６についても同様のことが言える。
【００５２】
（変形例４）
実施の形態では、凹部７８が筐体７０の前面７０ｂと下面７０ｆの接続部分に設けられる場合について説明したが、これに限られない。凹部７８は、筐体７０の前面７０ｂと上面７０ａとの接続部分や、筐体７０の上面７０ａと側面７０ｃとの接続部分や、筐体７０の上面７０ａと側面７０ｄとの接続部分や、その他の隣接する２つの面の接続部分に設けられてもよい。また、凹部７８は、接続部分以外、例えば側面７０ｃまたは側面７０ｄの中央部分に設けられてもよい。
【００５３】
（変形例５）
実施の形態では、筐体７０が箱状すなわち略四角柱形状である場合について説明したが、これに限られない。筐体７０は、略円柱形状（すなわち側面視が略円形状）、略楕円柱形状（すなわち側面視が略楕円形状）、略三角柱や略五角柱などの各種の略角柱形状（すなわち側面視が略多角形状）、その他の形状であってもよい。
【００５４】
（変形例６）
実施の形態では、第１流量調節操作部５８が受けた操作を第１流量調節操作伝達部６０が第１流量調節部４０に機械的に伝達する場合について説明したが、これに限られない。第１流量調節操作伝達部６０は、第１流量調節操作部５８が受けた操作を第１流量調節部４０に電気的に伝達してもよい。この場合、第１流量調節部４０は、電磁弁など、電気的駆動弁を含んで構成されてもよい。第２流量調節操作伝達部６８、温度調節操作伝達部５２、第１吐出操作伝達部５６、第２吐出操作伝達部６４も同様に、第２流量調節操作部６６、温度調節操作部５０、第１吐出操作部５４、第２吐出操作部６２が受けた操作を、電気的に伝達するよう構成されてもよい。
【００５５】
（変形例７）
実施の形態では、水栓本体２８が操作装置３０の筐体７０内に収容される場合について説明したが、これに限られず、水栓本体２８は操作装置３０の筐体７０外に設けられてもよい。また、水栓本体２８と操作装置３０が一体となっていてもよい。
【００５６】
（変形例８）
実施の形態では、水栓装置１８が浴室ユニット１０に配置される場合について説明したが、これに限られない。水栓装置１８は、キッチン、洗面所、その他に設置されてもよい。
【００５７】
（変形例９）
実施の形態では、水栓装置１８は、２つの吐出口を備える場合について説明したが、これに限られない。水栓装置１８は、１つ、または、３つ以上の吐出口を備えてもよい。
【００５８】
上述した実施の形態および変形例の任意の組み合わせもまた本発明の実施の形態として有用である。組み合わせによって生じる新たな実施の形態は、組み合わされる実施の形態および変形例それぞれの効果をあわせもつ。また、請求項に記載の各構成要件が果たすべき機能は、実施の形態および変形例において示された各構成要素の単体もしくはそれらの連係によって実現されることも当業者には理解されるところである。例えば請求項に記載の操作装置本体は、実施の形態に記載の各伝達部と筐体７０との組み合わせにより実現されてもよい。
【符号の説明】
【００５９】
１０  浴室ユニット、  １２  浴槽、  １８  水栓装置、  ２８  水栓本体、  ３０  操作装置、  ５０  温度調節操作部、  ５８  第１流量調節操作部、  ６６  第２流量調節操作部、  ７０  筐体、  ７０ｂ  前面、  ７０ｆ  下面、  ７０ｇ  接続面、  ７０ｈ  接続前面、  ７０ｉ  接続下面、  ７２  前端部、  ８０  下端部。
【図１】
0006534258.tif 000002
【図２】
0006534258.tif 000003
【図３】
0006534258.tif 000004
【図４】
0006534258.tif 000005
【図５】
0006534258.tif 000006
【図６】
0006534258.tif 000007